(57)【要約】【課題】  人の脳は思考の振動の送受信機である。また、宇宙の響き（分子の振動）を、松果体から脳の真髄に伝播し、宇宙の振動を体内に取入れる構造である。従って、万人が考えもなく、五感により取入れているが、何も考えずに、生活しているのが現況である。この宇宙の響きを無駄としている。【解決手段】  本発明は、緩衝材を内側に備え、頭に被るキャップと、キャップのクラウンの上に設けた集音部と、集音部の上に設けたパラボラとで構成し、キャップと、集音部、並びにパラボラをガラスで製造し、宇宙の響きを、知覚可能とするクリスタル製品で、五感により取入れ、宇宙の「目に見えない力」の存在（宇宙の響き）に依拠し、人の生き方と、肉体の成長と維持に有効である。【選択図】      図６
2015000212.tif 000002
【特許請求の範囲】
【請求項１】
シリコーンラバー、シリコーン樹脂、ウレタン樹脂でなる緩衝材を内側に備え、かつ人の頭に被るキャップと、このキャップのクラウンの上に設けた集音部と、この集音部の上に設けたパラボラとで構成し、このキャップと、集音部、並びにパラボラをガラスで製造し、宇宙の響き（微かな微音（分子の振動））を、知覚可能とすることを特徴としたクリスタル製品。
【請求項２】
前記パラボラにより宇宙の響き（分子の振動）を受信し、この振動を前記集音部に設けた六角鉛直孔の括れ形状で集音、かつ増幅し、この増幅された宇宙からの振動を、前記キャップを介して、前記人の松果体から脳の真髄に伝播し（伝達し）、宇宙の響きを体に取入れ可能とした請求項１に記載のクリスタル製品。
【請求項３】
前記パラボラは、上部大径部が４００ｍｍ、立上り深さが１５０ｍｍ、内底部小径部が２０ｍｍとし、また、前記集音部が１０φとし、さらに、前記キャップは、繋ぎとなるクラウン天井小径部が２０ｍｍ、サイドクラウンの高さが１２０ｍｍ、クラウン底部大径部が２２０ｍｍとした請求項１に記載のクリスタル製品。
【請求項４】
前記クリスタル製品の厚みを、パラボラを２ｍｍ、キャップを２，５ｍｍとする構成とした請求項１に記載のクリスタル製品。
【請求項５】
前記パラボラと、集音部、並びにキャップを製作するガラスを、石英ガラスとする構成とした請求項１に記載のクリスタル製品。
【請求項６】
前記パラボラと、前記集音部、並びに前記キャップは、透明、又は半透明の石英ガラスで製作される構成とした請求項１に記載のクリスタル製品。
【発明の詳細な説明】
【技術分野】
【０００１】
人の頭（頭部）に被るキャップと、集音部、並びにパラボラをガラス（硝子）で製造し、宇宙の響き（振動）を、知覚可能とすることを特徴としたクリスタル製品に関する。
【背景技術】
【０００２】
周知の如く、人の脳は思考の振動の送受信機である。このような状況に鑑み、本発明のクリスタル製品は、頭に被り、上側のパラボラにおいて、宇宙からの振動（分子の振動、例えば、１秒間に１兆回（＝テラ）の振動）を受信し、収れん形状（括れ形状）の集音部、及び／又は、鉛直六角孔で増幅し、下側の受音部を介して、松果体から脳の真髄に伝播し、宇宙からの分子の振動を、体内に取入れる構造である。
【０００３】
即ち、従来の慣習である、五感により取入れ、宇宙の「目に見えない力」の存在（宇宙の響き）に依拠し、かつこの宇宙の響き（微かな微音（分子の振動））により、例えば、人の生き方と、肉体の成長と維持に有効に利用することで、精神の安定と、生活をエンジョイし、ゆとりのある人生を送りたいものである。正に、この願望を叶えるのが、本発明のクリスタル製品を被ることで体験できる。
【０００４】
例えば、クリスタル製品は、得意な形状とクリスタル製品であることから、宇宙（神）が降ろす、柔らかく、かつ微かな微音（分子の振動）を、松果体で捉え、前述の如く、脳の真髄に伝達することが可能となり、宇宙の響きに依拠した、人の生き方と、肉体の成長と維持に有効であって、しかも繊細で、艶やかな雰囲気を醸成すると考えている。
【０００５】
処で、脳の神経細胞が、人の視覚、触覚、自覚に影響を与えることは知られており、特開２０１０−１１０６３１号公報（文献１）に開示されている。また、松果体が、脳と体とを結びつけ、この松果体で捉えた、音、及び／又は振動等が体の働きに影響を与えるとの仮説を説明したものとして、特開２００５−１１１２６１号公報（文献２）に開示されている。
【０００６】
【特許文献１】特開２０１０−１１０６３１号公報
【特許文献２】特開２００５−１１１２６１号公報
【発明の概要】
【発明が解決しようとする課題】
【０００７】
前述した文献（１）は、脳と神経の関係を利用して、麻酔の状況確認を図ることを意図する。また文献（２）は、松果体と人の五感との働きを仮説する。
【０００８】
上記に鑑み、本発明は、次のことを意図する。
【０００９】
本発明が意図するのは、人の脳は思考の振動の送受信機である。そこで、クリスタル製品を、頭に被り、上側のパラボラにおいて、宇宙からの振動を受信し、収れん形状（括れ形状）の集音部、及び／又は、鉛直六角孔で増幅し、下側の受音部を介して、松果体から脳の真髄に伝播し、宇宙の振動を体内に取入れる構造である。
【００１０】
「イ」  従来の慣習である、五感により取入れ、宇宙の「目に見えない力」の存在（宇宙の響き）に依拠することで、例えば、人の生き方と、肉体の成長と維持に有効と考えられていることを、本発明のクリスタル製品を被ることで体験できることにある。
【００１１】
「ロ」  クリスタル製品は、特異な形状とクリスタル製品であることから、宇宙（神）が降ろす、柔らかく、かつ分子の振動を、松果体で捉え、前述の如く、脳の真髄に伝達することが可能となり、宇宙の響きに依拠した、人の生き方と、肉体の成長と維持に有効であって、しかも繊細で、艶やかな雰囲気を醸成することにある。
【００１２】
「ハ」  クリスタル製品の内側に、シリコーンラバー、ウレタン樹脂でなる緩衝材を備えており、各人の頭のサイズと、被覆時の違和感を無くすことにある。
【００１３】
「ニ」  クリスタル製品の寸法を特定することで、各人の体格と、被覆時の違和感を無くすことにある。
【００１４】
「ホ」  クリスタル製品の厚みを確保し、宇宙の響きを確実に捉え、前記「イ」と、「ロ」を達成することにある。
【００１５】
「ヘ」  クリスタル製品の材料を特定することで、前記「イ」と、「ロ」を達成することにある。
【課題を解決するための手段】
【００１６】
前述した、本発明の意図、「イ」〜「ヘ」を達成するために、請求項１〜６を提供する。
【発明の効果】
【００１７】
請求項１に記載の発明は、シリコーンラバー、シリコーン樹脂、ウレタン樹脂でなる緩衝材を内側に備え、かつ人の頭に被るキャップと、キャップのクラウンの上に設けた集音部と、集音部の上に設けたパラボラとで構成し、キャップと、集音部、並びにパラボラをガラスで製造し、宇宙の響き（振動）を、知覚可能とすることを特徴としたクリスタル製品であるので、下記の効果がある。
【００１８】
「イ」  従来の慣習である、五感により取入れ、宇宙の「目に見えない力」の存在（宇宙の響き）に依拠することで、例えば、人の生き方と、肉体の成長と維持に有効と考えられていることを、本発明のクリスタル製品を被ることで体験できる。
【００１９】
「ロ」  クリスタル製品は、特異な形状とクリスタル製品であることから、宇宙（神）が降ろす、柔らかく、かつ微かな微音（分子の振動）を、松果体で捉え、前述の如く、脳の真髄に伝達することが可能となり、宇宙の響きに依拠した、人の生き方と、肉体の成長と維持に有効であって、しかも繊細で、艶やかな雰囲気を醸成できる。
【００２０】
「ハ」  クリスタル製品の内側に、シリコーンラバー、シリコーン樹脂、ウレタン樹脂でなる緩衝材を備えており、各人の頭のサイズと、被覆時の違和感を無くし得る。
【００２１】
請求項２に記載の発明は、パラボラにより宇宙からの振動（分子の振動）を受信し、振動を集音部に設けた六角鉛直孔の括れ形状で集音、かつ増幅し、増幅された宇宙からの振動を、キャップを介して、人の松果体から脳の真髄に伝播し、宇宙の響きを体に取入れ可能とした請求項１に記載のクリスタル製品であるので、請求項１に記載の効果と同じ効果がある。
【００２２】
請求項３の発明では、パラボラは、上部大径部が４００ｍｍ、立上り深さが１５０ｍｍ、内底部小径部が２０ｍｍとし、また、集音部が１０φとし、さらに、キャップは、繋ぎとなるクラウン天井小径部が２０ｍｍ、サイドクラウンの高さが１２０ｍｍ、クラウン底部大径部が２２０ｍｍとした請求項１に記載のクリスタル製品であるので、請求項１に記載の効果に加え、下記の効果がある。
【００２３】
「ニ」  クリスタル製品の寸法を特定することで、各人の体格と、被覆時の違和感を無くし得る。
【００２４】
請求項４の発明では、クリスタル製品の厚みを、パラボラを２ｍｍ、キャップを２，５ｍｍとする構成とした請求項１に記載のクリスタル製品であるので、請求項１に記載の効果に加え、下記の効果がある。
【００２５】
「ホ」  クリスタル製品の厚みを確保し、宇宙の響きを確実に捉え、前記「イ」と、「ロ」を達成し得る。
【００２６】
請求項５の発明では、パラボラと、集音部、並びにキャップを製作するガラスを、石英ガラスとする構成とした請求項１に記載のクリスタル製品であるので、請求項１に記載の効果に加え、下記の効果がある。
【００２７】
「ヘ」  クリスタル製品の材料を特定することで、前記「イ」と、「ロ」を達成し得る。
【００２８】
請求項６の発明では、パラボラと、集音部、並びにキャップは、透明、又は半透明の石英ガラスで製作される構成とした請求項１に記載のクリスタル製品であるので、請求項５に記載の効果に、同じである。
【図面の簡単な説明】
【００２９】
【図１】クリスタル製品の一例を示した（以下、省略）正面図
【図２】俯瞰図
【図３】図１のＸ−Ｘ断面図
【図４】図１のＹ−Ｙ断面図
【図５】集音部（括れ部）を拡大して示した俯瞰図
【図６】使用状態を示した正面図
【発明を実施するための形態】
【００３０】
Ａは珪素、石英ガラス等を主原料とするガラスのクリスタル製品で、宇宙の響き（分子の振動）Ｂを送受信する送受信機である。このクリスタル製品Ａは、シリコーンラバー、シリコーン樹脂、ウレタン樹脂でなる緩衝材１を内側に備え、かつ人Ｈの頭Ｈ１に被るキャップ２と、キャップ２のクラウン２００の小径部２００ａ（頂点）に設けた集音部３と、集音部３の上に設けたパラボラ５とで構成する。以下、構成部品であるキャップ２と、集音部３、パラボラ５、並びに緩衝材１に関して、詳細に説明する。
【００３１】
キャップ２は、クラウン天井２００における小径部２００ａが１５ｍｍ〜３０ｍｍとし、好ましくは２０ｍｍ、サイドクラウン２０１の高さ２０１ａが１００ｍｍ〜１５０ｍｍとし、好ましくは１２０ｍｍ、クラウン底部２０２の大径部２０２ａが１８０ｍｍ〜２５０ｍｍとし、好ましくは２２０ｍｍとした寸法である。肉厚は１，５ｍｍ〜３，５ｍｍとし、好ましくは２，５ｍｍとする。
【００３２】
また、集音部３は、キャップ２のクラウン天井２００に設けた筒で、９φ〜１１φとし、好ましくは１０φとし、この中に、４φ〜６φとし、好ましくは４，５φの六角鉛直孔３００を有する。この孔３００は、断面六角形状（ピラミッドの神秘な形状を模した）とし、その他の形状は、丸孔、異形孔等の構造とし、後述するパラボラ５で捉えた宇宙の響きＢを、増幅し、キャップ２に繋がる構造である。また、場合により、孔３００の無い構造でも、可能と考えられる。この集音部３は、キャップ２と、パラボラ５とを繋ぐ役割である。
【００３３】
パラボラ５は、上面に開口５００を有する椀型であり、上部５０１の大径部５０１ａが３５０ｍｍ〜５００ｍｍとし、好ましくは４００ｍｍ、立上り５０２の深さ５０２ａが１００ｍｍ〜２００ｍｍとし、好ましくは１５０ｍｍ、内底部５０３の小径部５０３ａが１５ｍｍ〜３０ｍｍとし、好ましくは２０ｍｍとした寸法である。肉厚は１，５ｍｍ〜３ｍｍとし、好ましくは２ｍｍとするが、例えば、指を、軽く、かつ円周方向に摺接した際に、滑らかなびびりを感ずる、所謂、神秘な音を発し得る、所定の厚みが理想と考えられる。この内底部５０３に設けた孔５０４が、集音部３の孔３００に連通することで、このパラボラ５で捉えた宇宙の響きＢを、集音部３の孔３００を介して増幅し、この増幅した宇宙の響きＢを、キャップ２でさらに増幅し、頭Ｈ１に伝える構造である。
【００３４】
尚、緩衝材１は、キャップ２の緩衝効果と、頭Ｈ１とキャップ２の隙間を無くし、確実に頭Ｈ１に被れて、落下しない構造とする。また、落下防止のために、紐を設けることも有り得る。
【００３５】
図６に示した使用状態において、頭Ｈ１にキャップ２を被り、緩衝材１で頭Ｈ１を保護しつつ、外部の音をシャットアウトして脳への振動の伝播を無くす。即ち、集音部３で増幅された宇宙の響きＢのみを松果体Ｈ２を介して、脳の真髄に伝播し、宇宙の響きを体に取入れる。これにより、下記のことが可能となる。本発明者も、実際に体験、かつ経験し、その事実を確認している。
【００３６】
「イ」  従来の慣習である、五感により取入れ、宇宙の「目に見えない力」の存在（宇宙の響きＢ）に依拠することで、例えば、人Ｈの生き方と、肉体の成長と維持に有効と考えられている。
【００３７】
「ロ」  クリスタル製品Ａは、特異な形状とクリスタル製品Ａであることから、宇宙（神）が降ろす、柔らかく、かつ微かな微音（分子の振動）を、松果体Ｈ２で捉え、前述の如く、脳の真髄に伝達することが可能となり、宇宙の響きに依拠した、人の生き方と、肉体の成長と維持に有効であって、しかも繊細で、艶やかな雰囲気を醸成できる。
【００３８】
「ハ」  クリスタル製品Ａの内側に、シリコーンラバー、シリコーンラバー樹脂、ウレタン樹脂でなる緩衝材１を備えており、各人Ｈの頭Ｈ１のサイズと、被覆時の違和感を無くし得る。
【００３９】
「ニ」  クリスタル製品Ａの寸法を特定することで、各人Ｈの体格と、被覆時の違和感を無くし得る。
【００４０】
「ホ」  クリスタル製品Ａの厚みを確保し、宇宙の響きＢを確実に捉え、前記「イ」と、「ロ」を達成できる。
【００４１】
「ヘ」  クリスタル製品Ａの材料を特定することで、前記「イ」と、「ロ」を達成できる。
【００４２】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００４３】
Ａ          クリスタル製品
Ｂ          宇宙の響き（分子の振動）
１          緩衝材
２          キャップ
２００      クラウン天井
２００ａ    小径部
２０１      サイドクラウン
２０１ａ    高さ
２０２      クラウン底部
２０２ａ    大径部
３          集音部
３００      孔
５          パラボラ
５００      開口
５０１      上部
５０１ａ    大径部
５０２      立上り
５０２ａ    深さ
５０３      内底部
５０３ａ    小径部
５０４      孔
Ｈ          人
Ｈ１        頭
Ｈ２        松果体
【図１】
2015000212.tif 000003
【図２】
2015000212.tif 000004
【図３】
2015000212.tif 000005
【図４】
2015000212.tif 000006
【図５】
2015000212.tif 000007
【図６】
2015000212.tif 000008